(57)【要約】【課題】着座部が移動され、使用者の労力を軽減できるソファを提供する。【解決手段】使用者が着座するソファ１であって、着座状態の使用者の臀部が支持される着座面３を有する着座部２と、この着座部２から上方にのび前記使用者の背中を支持する背もたれ面５を有する背もたれ部４とを具え、背もたれ面５から水平方向に張り出す着座面３の張り出し量を変化させる移動手段６を具える。【選択図】図１
2014023641.tif 000002
【特許請求の範囲】
【請求項１】
使用者が着座するソファであって、
着座状態の使用者の臀部が支持される着座面を有する着座部と、この着座部から上方にのび前記使用者の背中を支持する背もたれ面を有する背もたれ部と、
前記背もたれ面から水平方向に張り出す前記着座面の張り出し量を変化させる移動手段とを具えることを特徴とするソファ。
【請求項２】
前記移動手段は、前記着座部を水平移動させるものである請求項１に記載のソファ。
【請求項３】
前記移動手段は、前記着座部を、第１の位置と、第２の位置との間で水平移動させ、
前記第１の位置は、前記着座面が使用者の臀部を支持可能な張り出し量を有し、
前記第２の位置は、前記着座面の張り出し量が、第１の位置よりも大きく、かつ、使用者が横になって就寝可能な長さである請求項１又は２に記載のソファ。
【請求項４】
前記移動手段は、前記着座部を移動させる駆動手段を含む請求項１乃至３のいずれかに記載のソファ。
【請求項５】
前記駆動手段は、前記着座部又は前記背もたれ部の一方側に設けられかつ電動機によって回転駆動するネジ軸と、
前記着座部又は前記背もたれ部の他方側に設けられかつ前記ネジ軸に装着されたボールナットとを含む請求項４に記載のソファ。
【請求項６】
前記移動手段は、前記着座部を水平方向に案内する案内手段を含んでおり、
前記案内手段は、前記着座部又は前記背もたれ部の一方側に設けられた水平方向にのびるレール部材と、
前記着座部又は前記背もたれ部の他方側に設けられかつ前記レール部材に案内される係合部とを含む請求項１乃至５のいずれかに記載のソファ。
【請求項７】
前記背もたれ部は、両側部に配された一対の側板部と、前記側板部の後縁側を連結する背板部と、前記側板部の前縁側かつ上部側を連結する前板部とを含み、かつ、前面の下部が開放された中空部を有する箱状であり、及び、
前記一対の側板部間に設けられかつ前記中空部を前後方向にのびるサブフレームを具えており、
前記レール部材は、前記サブフレームを構成する水平材であり、
前記係合部は、前記着座部に設けられている請求項６に記載のソファ。
【請求項８】
前記サブフレームは、少なくとも左右一対設けられている請求項７に記載のソファ。
【請求項９】
前記背もたれ部は、前記側板部の上部側を閉じる天板部を含み、
前記天板部は、開閉自在である請求項７又は８に記載のソファ。
【請求項１０】
前記着座部は、少なくとも前記着座面が張り出す側に、床面を走行する車輪を有する請求項１乃至９のいずれかに記載のソファ。
【発明の詳細な説明】
【技術分野】
【０００１】
本発明は、例えば、ベッドとしても利用可能なソファに関する。
【背景技術】
【０００２】
使用者が着座するソファが知られている。該ソファは、着座面を有する着座部と、背もたれ面を有する背もたれ部とを具える。前記背もたれ面は、前記着座部から上方にのびる。このようなソファでは、着座状態の使用者の臀部が着座面に支持され、前記使用者の背中が背もたれ面に支持される。
【０００３】
従来、図５に示されるように、背もたれ部ｂから水平方向に張り出す着座部ｃを、水平方向に押し引き移動可能に設けられたソファaが提案されている（例えば下記特許文献１）。該着座部ｃは、床面に設置された複数の車輪ｄに支持されている。このようなソファａは、着座部ｃを仮想線で示される位置に引き出すことで、使用者が横になって就寝可能なベッドとして用いられる。
【０００４】
【特許文献１】実公昭４１−２２４５５号公報
【発明の概要】
【発明が解決しようとする課題】
【０００５】
しかしながら、上記ソファａでは、形態を変化させる際に、使用者が、着座部ｃを押し引き移動しなければならない。このため、過大な労力が必要とされ、使い勝手が悪いという欠点があった。
【０００６】
本発明は、以上のような実状に鑑み案出されたもので、着座部が移動され、使用者の労力を軽減できるソファを提供することを目的とする。
【課題を解決するための手段】
【０００７】
本発明のうち、請求項１記載の発明は、使用者が着座するソファであって、着座状態の使用者の臀部が支持される着座面を有する着座部と、この着座部から上方にのび前記使用者の背中を支持する背もたれ面を有する背もたれ部と、前記背もたれ面から水平方向に張り出す前記着座面の張り出し量を変化させる移動手段とを具えることを特徴とする。
【０００８】
また、請求項２記載の発明は、前記移動手段は、前記着座部を水平移動させるものである請求項１に記載のソファである。
【０００９】
また、請求項３記載の発明は、前記移動手段は、前記着座部を、第１の位置と、第２の位置との間で水平移動させ、前記第１の位置は、前記着座面が使用者の臀部を支持可能な張り出し量を有し、前記第２の位置は、前記着座面の張り出し量が、第１の位置よりも大きく、かつ、使用者が横になって就寝可能な長さである請求項１又は２に記載のソファである。
【００１０】
また、請求項４記載の発明は、前記移動手段は、前記着座部を移動させる駆動手段を含む請求項１乃至３のいずれかに記載のソファである。
【００１１】
また、請求項５記載の発明は、前記駆動手段は、前記着座部又は前記背もたれ部の一方側に設けられかつ電動機によって回転駆動するネジ軸と、前記着座部又は前記背もたれ部の他方側に設けられかつ前記ネジ軸に装着されたボールナットとを含む請求項４に記載のソファである。
【００１２】
また、請求項６記載の発明は、前記移動手段は、前記着座部を水平方向に案内する案内手段を含んでおり、前記案内手段は、前記着座部又は前記背もたれ部の一方側に設けられた水平方向にのびるレール部材と、前記着座部又は前記背もたれ部の他方側に設けられかつ前記レール部材に案内される係合部とを含む請求項１乃至５のいずれかに記載のソファである。
【００１３】
また、請求項７記載の発明は、前記背もたれ部は、両側部に配された一対の側板部と、前記側板部の後縁側を連結する背板部と、前記側板部の前縁側かつ上部側を連結する前板部とを含み、かつ、前面の下部が開放された中空部を有する箱状であり、及び、前記一対の側板部間に設けられかつ前記中空部を前後方向にのびるサブフレームを具えており、前記レール部材は、前記サブフレームを構成する水平材であり、前記係合部は、前記着座部に設けられている請求項６に記載のソファである。
【００１４】
また、請求項８記載の発明は、前記サブフレームは、少なくとも左右一対設けられている請求項７に記載のソファである。
【００１５】
また、請求項９記載の発明は、前記背もたれ部は、前記側板部の上部側を閉じる天板部を含み、前記天板部は、開閉自在である請求項７又は８に記載のソファである。
【００１６】
また、請求項１０記載の発明は、前記着座部は、少なくとも前記着座面が張り出す側に、床面を走行する車輪を有する請求項１乃至９のいずれかに記載のソファである。
【発明の効果】
【００１７】
本発明によれば、背もたれ面から水平方向に張り出す着座面の張り出し量を変化させる移動手段を具える。着座面の張り出し量が移動手段によって変化されるため、ソファの形態を変化させる際の使用者の労力が軽減される。
【図面の簡単な説明】
【００１８】
【図１】本発明の一実施形態を示すソファの斜視図である。
【図２】図１のソファから着座部を分解した斜視図である。
【図３】ソファの駆動手段の要部拡大平面図である。
【図４】（ａ）は、着座部の第１の位置が示される動作説明図であり、（ｂ）は、着座部の第２の位置が示される動作説明図である。
【図５】従来のソファの概略説明図である。
【発明を実施するための形態】
【００１９】
以下、本発明の実施の一形態が図面に基づき説明される。
図１には、本実施形態のソファ１の斜視図が示される。本実施形態のソファ１は、着座面３を有する着座部２と、この着座部２から上方にのびる背もたれ面５を有する背もたれ部４とを具える。
【００２０】
着座面３は、着座状態の使用者の臀部を支持する。背もたれ面５は、着座状態の使用者の背中を支持する。該着座面３は、背もたれ面５から水平方向に張り出している。
【００２１】
ソファ１は、さらに、移動手段６を具える。該移動手段６は、着座面３の張り出し量を変化させる。よって、着座面３の張り出し量を変化させる使用者の労力は、従来に比して軽減される。
【００２２】
移動手段６は、例えば、着座面３の張り出し量を変化させる際に、着座部２を水平方向に移動させる。以下、本実施形態では、着座部２が水平移動される移動方向を前後方向Ｘとし、該前後方向Ｘと直交する水平方向を左右方向Ｙとする。
【００２３】
本実施形態の移動手段６は、着座部２を、前後方向Ｘに移動させる。後方に移動された着座部２の着座面３は、少なくとも使用者の臀部を支持できる張り出し量を有する。また、前方に移動された着座部２の着座面３は、使用者が横になって就寝できるより大きな張り出し量を有する。
【００２４】
図２は、図１に示されるソファ１から着座部２が分解された斜視図である。図１又は図２に示されるように、本実施形態の着座部２は、着座面３を形成するマット２１と、該マット２１が載置される載置部８と、載置部８を保持する保持枠９とを含む。マット２１は、着座面３を形成するものであればよく、例えば、クッション、畳や板体等、使用者に応じた着座面３を形成するものであればよい。
【００２５】
本実施形態の保持枠９は、対向する一対の長辺９ａと該長辺９ａの端側を連結する一対の短辺９ｂとを有し、平面視矩形状の枠体に形成される。載置部８は、前後方向Ｘに沿った複数の第１部材１０と、左右方向Ｙに沿った複数の第２部材２２とを含む。載置部８は、保持枠９の枠内に形成され、第１部材１０及び第２部材２２により、マット２１を下方から支持する。
【００２６】
各第１部材１０は、保持枠９の長辺９ａ間に懸架される。本実施形態の載置部８は、少なくとも４つの第１部材１０を含む。これら第１部材１０は、保持枠９の中間部を挟んで左右一対に隔設される。隣り合う第１部材１０の左右方向Ｙの間隔は、それぞれ予め設定される。また、各第２部材２２は、左右の第１部材１０間に懸架される。該第２部材２２は、例えば、スプリング又は板状のバネ等であり、上下に適度な弾性を有している。
【００２７】
また、着座部２は、少なくとも着座面３が張り出された側に、床面を走行する複数の車輪３３を有する。該車輪３３は、車輪３３を枢支する車軸３３ａ及び該車軸３３ａを軸支する軸受部材３３ｂを介して、着座部２の下部に設けられる。本実施形態では、車輪３３は、保持枠９の中間部の第１部材１０及び外側の各第１部材１０に設けられる。なお、軸受部材３３ｂは、棒状であり、その下端側で車軸３３ａを軸支する。該軸受部材３３ｂの長さは、車輪３３の輪径及び着座部２の床面からの高さに応じて予め設定される。
【００２８】
本実施形態の背もたれ部４は、両側部に配された一対の側板部２５と、側板部２５の後部側を連結する背板部２６と、側板部２５の前部側かつ上部側を連結する前板部２７と、側板部２５の上縁を閉じる天板部２８とを含む。背もたれ部４は、前面の下部が開放された中空部３０を有する箱状に形成される。着座部２は、背もたれ部４の前面の下部を介して、前後方向Ｘへと移動される。また、本実施形態では、前板部２７の前面にマットが設けられ、該マットにより、背もたれ面５が形成される。
【００２９】
前記天板部２８は、例えば、開閉自在である。また、背もたれ部４は、前板部２７の下部から後方の背板部２６にのびる底板部３１を含む。側板部２５、背板部２６、前板部２７及び底板部３１とからなる中空の箱体には、例えば、各種の物品等を収納することができる。
【００３０】
図２に示されるように、背もたれ部４は、中空部３０を前後方向Ｘにのびる少なくとも左右一対のサブフレーム２９を具える。本実施形態のサブフレーム２９は、前後方向Ｘにのびる上部水平材３５と、該上部水平材３５の前端側から下方にのびる前側鉛直材３６とを有する。サブフレーム２９は、さらに、上部水平材３５の後端側から下方にのびる後側鉛直材３７と、これらの鉛直材３６、３７の下端側を連結する下部水平材３８とを有し、枠状に形成される。
【００３１】
本実施形態の各サブフレーム２９の前端側は、例えば、前側水平材３９により左右方向Ｙに連結される。各サブフレーム２９の後端側は、例えば、後側水平材４０により左右方向Ｙに連結される。また、これら各水平材３９、４０の間には、一対の中間部材４１が掛け渡される。
【００３２】
本実施形態の移動手段６は、着座部２を移動させる駆動手段１１と、着座部２を前後方向Xに案内する案内手段１５とを含む。
【００３３】
駆動手段１１は、着座部２又は背もたれ部４の一方側に設けられたネジ軸１２と、着座部２又は背もたれ部４の他方側に設けられたボールナット１３とを含む。図３には、駆動手段１１の要部が拡大された平面図が示される。図２又は図３に示されるように、本実施形態の駆動手段１１では、ネジ軸１２は、背もたれ部４に設けられ、ボールナット１３は、着座部２に設けられている。
【００３４】
ネジ軸１２は、前後方向Xにのび、その一端側が減速機４２を介して電動機１４に連結される。ボールナット１３は、ネジ軸１２に装着され、着座部２に回り止めされて固着されている。このため、電動機１４により、ネジ軸１２が回転駆動されると、着座部２に回り止めされて固着されたボールナット１３は、ネジ軸１２の回転方向に応じて、着座部２とともに前後方向Xに移動する。なお、電動機１４が停止している場合には、電動機１４が負荷となり、ネジ軸１２の回転が抑制される。よって、着座部２の予期しない移動を制限できる。
【００３５】
本実施形態のネジ軸１２は、前端が軸受２３ａに軸支され、後端が軸受２３ｂに軸支される。軸受２３ａは、一対の中間部材４１間に掛け渡された軸受部材２４に設けられる。軸受２３ｂは、後側水平材４０に設けられる。電動機１４は、ネジ軸１２の後端側に連結され、後側水平材４０に固定される。なお、電動機１４及び後側の軸受２３ｂは、例えば、背板部２６に設けられても良い。
【００３６】
電動機１４は、例えば、直流電動機であって、コントローラ（図示省略）から電力が供給される。該コントローラは、トランス部と、電動機１４の制御などを行う制御部とを内蔵する。また、コントローラは、例えば、遠隔操作用のリモコン部と、ＡＣ電源コードとを含む。なお、本実施形態のコントローラは、ネジ軸１２の回転駆動中に、電動機１４に過度の負荷が掛かると、電動機１４を停止させる。このため、例えば、着座部２と背もたれ部４との間に異物が挟まり、該異物が着座部２の水平移動の負荷となる場合には、着座部２の水平移動が停止される。
【００３７】
本実施形態の減速機４２は、例えば、ウォーム軸とウォームホイールとからなる。電動機１４が減速機４２を介してネジ軸１２と連結されるため、ネジ軸１２は大トルクかつ低速で軸心回りに回転駆動される。減速機４２は、電動機１４と同様に、後端水平材４０に固定される。
【００３８】
図１又は図２に示されるように、ボールナット１３は、着座部２の隣り合う第１部材１０間に掛け渡された保持部材１９に設けられる。ボールナット１３は、例えば、ボルトや溶着等、適宜の手段により、保持部材１９に設けられる。本実施形態では、電動機１４、ネジ軸１２及びボールナット１３が、ソファ１の左右方向Ｙのほぼ中央に位置される。このため、左右のバランスが良く、着座部２が前後方向Ｘへ良好に水平移動される。なお、載置部８の左右中間部に位置する第１部材１０は、保持枠９の前側の長辺９ａと保持部材１９との間に掛け渡される。
【００３９】
案内手段１５は、着座部２又は背もたれ部４の一方側に設けられたレール部材１６と、着座部２又は背もたれ部４の他方側に設けられた係合部１７とを含む。本実施形態の案内手段１５は、レール部材１６が背もたれ部４に設けられ、係合部１７が着座部２に設けられている。このため、着座部２は、レール部材１６に沿って前後方向Ｘに水平移動される。
【００４０】
レール部材１６は、前後方向Xにのびる。本実施形態のレール部材１６は、サブフレーム２９を構成する上部水平材３５に含まれる。該レール部材１６は、例えば、上部水平材３５の上部に、上部水平材３５に沿って設けられてもよく、上部水平材３５がレール部材１６として形成されたものであってもよい。
【００４１】
本実施形態の係合部１７は、レール部材１６に上方から当接し、レール部材１６に沿って案内される。該係合部１７は、外側の各第１部材１０に含まれる。該係合部１７は、例えば、外側の第１部材１０の下部に設けられてもよく、外側の第１部材１０が係合部として形成されたものであってもよい。また、係合部１７は、着座部２の水平移動が左右にずれることを防止するとの観点から、レール部材１６に上方から係合するのが望ましい。よって、着座部２は、背もたれ部４に対して前後方向Xに移動される。
【００４２】
また、本実施形態のソファ１は、電動機１４を停止させるリミットスイッチ４３を有する。リミットスイッチ４３は、例えば、載置部８の左右中間部に位置する第１部材１０に設けられる。該リミットスイッチ４３は、本実施形態では、接触式が用いられる。リミットスイッチ４３は、着座産２が後方へ移動された際に、前端水平材３９を検出する前スイッチ４３ａと、着座部２が前方へ移動された際に、前端水平材３９を検出する後スイッチ４３ｂとを含んでいる。
【００４３】
図４（ａ）には、ベッド状態のソファ１が示される。ベッド状態の着座部２の位置を第２の位置Ｆとする。また、図４（ｂ）には、ソファ状態のソファ１が示される。ソファ状態の着座部２の位置を第１の位置Ｂとする。第１の位置Ｂは、例えば、着座面３が使用者の臀部を支持可能な張り出し量を有する。第２の位置Ｆは、例えば、使用者が横になって就寝可能な着座面３の張り出し量を有する。よって、第２の位置Ｆは、第１の位置Ｂよりも大きい。
【００４４】
図４（ａ）に示されるベッド状態のソファ１では、例えば、図示されないリモコン部が使用者に操作されると、コントローラの出力に応じて電動機１４によりネジ軸１２が回転駆動される。これにともない、ボールナット１３とともに着座部２が、ネジ軸１２に沿って後方に移動される。この後、着座部２が第１の位置Ｂに移動され、前スイッチ４３ａが前側水平材３９に接触すると、電動機１４が停止され、着座部２の移動が停止される。よって、着座部２が第１の位置Ｂに移動され、ソファ１は、図４（ｂ）に示されるソファ状態とされる。
【００４５】
また、図４（ｂ）に示されるソファ状態のソファ１では、上記同様に、図示されないリモコン部が使用者に操作されると、着座部２がネジ軸１２に沿って前方に移動される。この後、着座部２が第２の位置Ｆに移動され、後スイッチ４３ｂが前側水平材３９に接触すると、着座部２の移動が停止される。よって、着座部２が第２の位置Ｆに移動され、ソファ１は、図４（ａ）に示されるベッド状態とされる。
【００４６】
以上、本発明の特に好ましい実施形態について詳述したが、本発明は図示の実施形態に限定されることなく、種々の態様に変形して実施しうる。
【実施例】
【００４７】
図１に示される基本構造をなすソファが試作された。該ソファは移動手段を具える。移動手段の電動機は、回転数が１８００ｒｐｍである。また、電動機とネジ軸との間の減速機は、減速比１／４９である。このため、ネジ軸は、３６．７ｒｐｍで回転駆動され、ボールナットは、１０．７ｍｍ／ｓで移動される。また、着座部の最大張り出し量と最小張り出し量との差が、４８２ｍｍに設定される。よって、着座部は、第１の位置から第２の位置へ、又は第２の位置から第１の位置へ、約４５秒で移動される。
【符号の説明】
【００４８】
１    ソファ
２    着座部
３    着座面
４    背もたれ部
５    背もたれ面
６    移動手段
１１    駆動手段
１２    ネジ軸
１３    ボールナット
１４    電動機
１５    案内手段
１６    レール部材
１７    係合部
２５    側板部
２６    背板部
２７    前板部
２８    天板部
２９    サブフレーム
３０    中空部
３３    車輪
Ｘ    前後方向
Ｙ    左右方向
Ｂ    第１の位置
Ｆ    第２の位置
【図１】
2014023641.tif 000003
【図２】
2014023641.tif 000004
【図３】
2014023641.tif 000005
【図４】
2014023641.tif 000006
【図５】
2014023641.tif 000007